(57)【要約】【課題】  発光部から発した光が上向きに透過する投光パネル上に溜まろうとする水を排水可能な照明器具を提供する。【解決手段】  上向きに照明光を発する発光部を本体11に内蔵する。本体の対向する側壁12が有した連結上端部にシール溝を形成し、四角い環形の防水リングをシール溝に嵌め連結上端部にわたって配設する。四角い投光パネル28を連結上端部にわたって配設し防水リングで下側から支持する。二本の上縁材31を連結上端部上に夫々連結して、投光パネル28の平行な縁部を防水リングとの間に挟むとともに投光パネル28を底とする溝38を形成する。本体11の端面、上縁材31の端面、及び投光パネル28の端面を覆って防水部材61を配設し、この防水部材61を挟んで本体11の端部に側板71を連結する。防水部材61及び側板71の夫々に、溝38に連続する部材凹部62又は側板凹部76を形成し、これら凹部の底面62a，76aの高さを投光パネル28の上面以下としたことを特徴としている。【選択図】図３
2012169207.tif 000002
【特許請求の範囲】
【請求項１】
対向する側壁を備え、これら側壁が連結上端部を有し、かつ、この連結上端部に上方に開放するシール溝が形成されている本体と；
弾性変形が可能な材料で四角い環形に形成されていて、前記シール溝に嵌るとともに前記連結上端部にわたって配設された防水リングと；
この防水リングで下側から支持されて前記連結上端部にわたって配設された四角い投光パネルと；
この投光パネルの平行な縁部を前記防水リングとの間に挟んで前記連結上端部に夫々連結されて、前記投光パネルを底とする溝を形成した二本の上縁材と；
前記本体に内蔵されて前記投光パネルを上向きに透過する照明光を発する発光部と；
前記本体の端面、前記上縁材の端面、及び前記投光パネルの端面を覆って配設されていて、かつ、前記溝に連続する部材凹部を有し、この凹部の底面の高さが前記投光パネルの上面以下である弾性変形可能な防水部材と；
この防水部材を前記本体の端面との間に挟んで前記本体の端部に連結されていて、かつ、前記部材凹部を介して前記溝に連続する側板凹部を有し、この凹部の底面の高さが前記投光パネルの上面以下である側板と；
を具備することを特徴とする照明器具。
【請求項２】
前記部材凹部の底面と前記側板凹部の底面のうちの少なくとも後者の底面が、前記投光パネルの上面より低くなるように傾けられていることを特徴とする請求項１に記載の照明器具。
【請求項３】
前記側壁間にわたる前記防水リングの側壁間部位を下側から支持するリング支持部を、前記防水部材が有していることを特徴とする請求項１又は２に記載の照明器具。
【請求項４】
前記側板が前記防水部材に挿入されて前記リング支持部を下側から支持する支持凸部を有していることを特徴とする請求項３に記載の照明器具。
【請求項５】
前記連結上端部が、これに前記上縁材を取付ける連結ねじが螺合されるねじ孔を、前記シール溝から前記連結上端部の幅方向にずれた位置に有しており、前記連結上端部と前記上縁材とのうちの一方が、前記ねじ孔を境に前記シール溝と反対側に位置する突起を有し、前記連結上端部と前記上縁材とのうちの他方が前記突起に接する接触面を有しており、前記連結上端部とこの連結上端部にねじ止めされた前記上縁材と間に、前記突起と前記接触面との接触箇所を除いて隙間が設けられていることを特徴とする請求項１から４のうちのいずれか一項に記載の照明器具。
【発明の詳細な説明】
【技術分野】
【０００１】
本発明の実施形態は、例えば屋外に設置されて上方を照明する投光器等の照明器具に関する。
【背景技術】
【０００２】
略砲弾形の反射板の内部にランプを設けるとともに、反射板の投光側の開口に取付けられたリング形の支持枠に、この支持枠の投光開口を閉じるガラス板等からなる投光板を、パッキンを介して取付け、かつ、支持枠をコの字形に形成された取付部の両端にわたって支持し、支持枠を任意の向きに向けることが可能な投光器が、従来技術として知られている。
【０００３】
この投光器で投光板の周部はその全周にわたり連続して支持枠で縁取られているので、これら投光板と支持枠により凹部が形成されている。
【０００４】
屋外に設置された投光器は雨水等に晒される。そのため、この投光器が、投光板を上向きにした状態で使用されると、投光板と支持枠とが形成した凹部は雨水などを受けるが、この雨水は環形の支持枠に堰き止められて外部に排出されることがない。
【０００５】
このように雨水等が凹部に留まる構成では、パッキンが劣化してその防水性能が低下した場合、投光器の内部に浸水する恐れが考えられる。更に、前記凹部に溜まった水が乾燥することに伴い、投光板の表面に汚れを生じるとともにこの汚れを原因とする明るさの低下がもたらされる。
【０００６】
こうした不具合は、支持枠の表面と投光板の表面が同じ高さで連続するように、投光板を支持枠に対してパテやコーキング材を用いて固定することで解消できる。しかし、パテやコーキング材の殆どは、ある程度硬化して投光板を確実に保持できるようになるまでにかなりの時間が必要であるので、製造性が低下してコスト高になる。又、瞬時にある程度硬化して投光板を確実に保持できるパテやコーキング材は、それ自体のコストが高いだけではなく、専用の設備が必要となる場合が多く、更に、こうしたパテやコーキング材は取扱いが面倒であるので、やはりコスト高になる。
【０００７】
したがって、投光板を上向きにした状態で屋外で使用される投光器等の照明器具で、パテやコーキングを用いることなく投光板を固定することは、製造コストを下げる上では好ましいが、この構成において、投光板上に雨水等がたまらないようにする配慮が求められている。
【先行技術文献】
【特許文献】
【０００８】
【特許文献１】特開平１１−２５７２７号公報
【発明の概要】
【発明が解決しようとする課題】
【０００９】
実施形態は、発光部から発した光が上向きに透過する投光パネル上に溜まろうとする水を排水可能な照明器具を提供することにある。
【課題を解決するための手段】
【００１０】
前記課題を解決するために、実施形態の照明器具は、上向きに照明光を発する発光部を本体に内蔵する。本体の対向する側壁が有した連結上端部にシール溝を形成し、四角い環形の防水リングをシール溝に嵌めて連結上端部にわたって配設する。四角い投光パネルを連結上端部にわたって配設し防水リングで下側から支持する。二本の上縁材を連結上端部上に夫々連結して、投光パネルの縁部を防水リングとの間に挟むとともに投光パネルを底とする溝を形成する。本体の端面、上縁材の端面、及び投光パネルの端面を覆って防水部材を配設し、この防水部材を挟んで本体の端部に側板を連結する。防水部材及び側板の夫々に、溝に連続する部材凹部又は側板凹部を形成し、これら凹部の底面の高さを投光パネルの上面以下としたことを特徴としている。
【発明の効果】
【００１１】
実施形態の照明器具によれば、発光部から発した光が上向きに透過する投光パネル上に溜まろうとする水を排水可能である、という効果を期待できる。
【図面の簡単な説明】
【００１２】
【図１】実施例１に係る照明器具を示す斜視図である。
【図２】図１の照明器具の端部を拡大して示す斜視図である。
【図３】図２の端部の上部を更に拡大して示す斜視図である。
【図４】図２の端部を分解して示す斜視図である。
【図５】図１の照明器具をその長手方向に断面した状態で図２の端部の上部を示す斜視図である。
【図６】図２の端部の上部を示す断面図である。
【図７】図２の端部に用いた側板及び防水部材を互に分離した状態で示す斜視図である。
【図８】図１の照明器具をその長手方向に直交する方向に沿って示す断面図である。
【図９】図１の照明器具の一部をそれから分離させた一部の上縁材とともに示す斜視図である。
【図１０】図１の照明器具のパネル固定構造を分解して示す断面図である。
【図１１】図１０のパネル固定構造をその組立て途中の状態で示す断面図である。
【図１２】実施例２に係る照明器具の端部を示す斜視図である。
【図１３】図１２の端部の上部を示す断面図である。
【図１４】実施例３に係る照明器具のパネル固定構造を示す断面図である。
【発明を実施するための形態】
【００１３】
実施形態１の照明器具は、対向する側壁を備え、これら側壁が連結上端部を有し、かつ、この連結上端部に上方に開放するシール溝が形成されている本体と；弾性変形が可能な材料で四角い環形に形成されていて、前記シール溝に嵌るとともに前記連結上端部にわたって配設された防水リングと；この防水リングで下側から支持されて前記連結上端部にわたって配設された四角い投光パネルと；この投光パネルの平行な縁部を前記防水リングとの間に挟んで前記連結上端部に夫々連結されて、前記投光パネルを底とする溝を形成した二本の上縁材と；前記本体に内蔵されて前記投光パネルを上向きに透過する照明光を発する発光部と；前記本体の端面、前記上縁材の端面、及び前記投光パネルの端面を覆って配設されていて、かつ、前記溝に連続する部材凹部を有し、この凹部の底面の高さが前記投光パネルの上面以下である弾性変形可能な防水部材と；この防水部材を前記本体の端面との間に挟んで前記本体の端部に連結されていて、かつ、前記部材凹部を介して前記溝に連続する側板凹部を有し、この凹部の底面の高さが前記投光パネルの上面以下である側板と；を具備することを特徴としている。
【００１４】
この実施形態１で、本体、上縁材、及び側板は、合成樹脂製又は金属製若しくはこれらの複合材で形成できる。本体は、これを金属製とする場合、プレス成型等により形成することができる他、押し出し型材、特に、軽量化と放熱性と防錆性を確保するためにアルミニウム合金の押し出し型材とすることが好ましく、又、上縁材もアルミニウム合金の押し出し型材とすることが好ましい。
【００１５】
この実施形態１で、投光パネルはアクリル樹脂等の透明樹脂又は透明なガラスで形成でき、この投光パネルが四角いとは、長四角形（長方形でかつその長手方向の長さは問わない。）又は正四角形を含んでいる。この実施形態１で、発光部とは、通電により発光するものであって、例えばＬＥＤチップを発光素子として有したＬＥＤ発光パッケージ等のＬＥＤ発光部を好適に用いることができる。発光部が複数設けられる場合、その配置は任意であり、例えば長手を有している本体に対しては、その長手方向に一定間隔で発光部を配設することが望ましい。
【００１６】
この実施形態１で、本体の端面とは、本体の連結上端部が延びる方向に位置された端面を指しており、上縁材の端面とは、この上縁材が延びる方向に位置された端面を指している。これとともに、投光パネルの端面とは、投光パネルの四辺のうちで上縁材により押えられた縁部を除いた他の縁部の端面、つまり、シール溝に嵌った防水リングの部位間を一体に連続していて連結上端部にわたった部位が下方から接した縁部の端面を指している。
【００１７】
この実施形態１で、部材凹部及び側板凹部の底面の高さが投光パネルの上面以下であるとは、これら底面の高さが投光パネルの上面と同じ高さである場合も含んでいるが、部品寸法のばらつきや取付け位置のばらつきがあっても、それが排水を妨げる因子とならないように、部材凹部及び側板凹部の底面の高さは投光パネルの上面より低くすることが好ましい。更に、この実施形態１で、部材凹部の底面の高さと側板凹部の底面の高さとは、同じであっても、異なっていても良いが、異なっている場合、側板凹部の底面の高さが部材凹部の底面の高さより低い方が、投光パネル上の水を、溝の端から外部へ排出することがより容易になる点で好ましい。
【００１８】
実施形態１では、本体の対向する側壁の連結上端部に夫々連結された上縁材で投光パネルの平行な縁部を上方から押えて、この投光パネルを防水リングに押し付けて本体に投光パネルが取付けられていて、二本の上縁材間に投光パネルを底とする溝が形成されている。これにより、この溝には雨水などが溜まろうとすることがある。
【００１９】
しかし、実施形態１では、本体の端面を防水しかつ閉じるために設けられた防水部材及び側板の夫々が、溝に連通した部材凹部又は側板凹部を有しているとともに、これら凹部の底面が投光パネルの上面以下となっている。これにより、溝に溜まろうとする水が防水部材及び側板でせき止められることがなく、溝に溜まろうとする水を、部材凹部及び側板凹部を通して外部に排水することが可能である。
【００２０】
実施形態２の照明器具は、実施形態１において、前記部材凹部の底面と前記側板凹部の底面のうちの少なくとも後者の底面が、前記投光パネルの上面より低くなるように傾けられていることを特徴としている。
【００２１】
この実施形態２で、側板凹部の底面の傾きは、投光パネルの端面から遠ざかるほど投光パネルの上面より低くなるように傾けることが好ましい。しかし、側板凹部の長手方向（対向した側壁にわたる方向）中央部又は側板凹部の長手方向の少なくとも一端部に向けて次第に下がるように設けてもよく、或いは、側板凹部の底面は前記二通りの傾きを有していても差支えない。又、部材凹部の底面に傾きを設ける場合、側板凹部の底面の傾きと同様に設けることもできる。
【００２２】
実施形態２では、実施形態１において、更に、投光パネルを底とした溝から部材凹部を経て側板凹部に至った水を、側板凹部の底面の傾きによって導いて円滑に外部に排出することが可能である。この排水において、側板凹部の底面が、側板凹部の長手方向中央部又は少なくとも一端部向けて次第に下がるように傾けられている場合、側板凹部の底面に至った水がその最も低い位置に集められた上で外部に排出されるので、更に、円滑に外部に排出することが可能である。
【００２３】
実施形態３の照明器具は、実施形態１又は２において、前記側壁間にわたる前記防水リングの側壁間部位を下側から支持するリング支持部を、前記防水部材が有していることを特徴としている。
【００２４】
この実施形態３で、リング支持部は、シール溝と同様に上方に開放する溝を有して形成されていることが好ましいが、溝がない構成でも可能である。
【００２５】
実施形態３では、実施形態１又は２において、更に、防水部材のリング支持部で、防水リングの側壁間部位を下側から支持できる。これにより、側壁間部位が自重で垂れるように変形し投光パネルから離れることが抑制されて、防水リングによる防水性を確保することが可能である。
【００２６】
実施形態４の照明器具は、実施形態３において、前記側板が前記防水部材に挿入されて前記リング支持部を下側から支持する支持凸部を有していることを特徴としている。
【００２７】
この実施形態４では、実施形態３において、更に、防水部材より硬い側板の支持凸部でリング支持部を下側から支持したので、防水リングの側壁間部位及びリング支持部を、支持凸部と上縁材で押される投光パネルとの間に挟持して、投光パネル及びリング支持部に対する防水リングの側壁間部位の密接が強められる。これにより、防水リングによる防水性をより確実にすることが可能である。
【００２８】
実施形態５の照明器具は、実施形態１から４のうちのいずれか一項において、前記連結上端部が、これに前記上縁材を取付ける連結ねじが螺合されるねじ孔を、前記シール溝から前記連結上端部の幅方向にずれた位置に有しており、前記連結上端部と前記上縁材とのうちの一方が、前記ねじ孔を境に前記シール溝と反対側に位置する突起を有し、前記連結上端部と前記上縁材とのうちの他方が前記突起に接する接触面を有しており、前記連結上端部とこの連結上端部にねじ止めされた前記上縁材と間に、前記突起と前記接触面との接触箇所を除いて隙間が設けられていることを特徴としている。
【００２９】
この実施形態５では、実施形態１から４のいずれかにおいて、更に、連結上端部に上縁材をねじ止めするに伴い、ねじ孔への連結ねじの締め込みがある程度進行した時点で、突起と接触面とが接して上縁材が連結上端部に下側から支持される。この後、連結ねじの更なる締め込みに従い、突起と接触面との接触箇所を支点とするとともに、連結ねじを力点とし、かつ、上縁材の投光パネルを押えた部位を作用点として、上縁材が連結上端部にねじ止めされる。このとき、突起と接触面との接触箇所を除いて、上縁材と連結上端部との間に隙間が設けられているので、突起と接触面との接触箇所を支点として前記ねじ止めにより上縁材に与えられたモーメントで、上縁材で投光パネルを確実に上方から押えて、防水リングによる防水性を確実にすることが可能である。
【実施例１】
【００３０】
以下、実施例１の照明器具について、図１〜図１１を参照して詳細に説明する。
【００３１】
図１〜図３及び図８中符号１は、図示しない器具ホルダに支持される照明器具を示している。器具ホルダと照明器具１は照明装置を構成する。なお、図８中符号２はボルトホルダ、符号３はボルト、符号４はワッシャ、符号５はナットを夫々示しており、これらは器具ホルダと照明器具１とを連結するための連結手段を構成している。ボルトホルダ２は、ボルト３の頭部に嵌合して、このボルト３を回り止めするために用いられている。
【００３２】
照明器具１は、上向きに光を出射して被照射対象例えば建物の壁面を照明するために、屋外に器具ホルダとともに設置される。この照明器具１は、本体１１と、防水リング２５と、投光パネル２８と、二本の上縁材３１と、光源ユニット４１、二枚の防水部材６１と、二枚の側板７１等を具備している。
【００３３】
図１、図４、及び図９に示すように本体１１は、金属の型材例えばアルミニウム合金の押し出し型材を所定の長さを切断して得たものであり、例えば長尺である。図８に示すように本体１１は、その長手方向に直交する幅方向（短手方向）に対向する側壁１２の下端を、底壁１３で一体に連続して形成されている。それにより、本体１１の長手方向両端は夫々開放されているとともに、側壁１２間も上方に開放されている。
【００３４】
尚、一方の側壁１２には前記連結手段のボルトホルダ２が収容される溝条１４が形成されている。この溝条１４を区画して一方の側壁１２の外面の一部をなした溝条区画壁部１４ａが、ナット５の締め付けに伴い、ボルトホルダ２とワッシャ４とで挟まれて、連結手段が一方の側壁１２の長手方向の所定位置に取付けられるようになっている。
【００３５】
図８等に示すように対向した側壁１２は夫々連結上端部１６を有していて、これら連結上端部１６は本体１１の幅方向に対向しているとともに平行である。図８、図１０、及び図１１に示すように連結上端部１６に、シール溝１７と、ねじ孔１８と、突起１９が設けられている。シール溝１７と突起１９は連結上端部１６の長手方向全長にわたって延びている。ねじ孔１８は連結上端部１６の長手方向に間隔的に複数設けられているが、図面上は一個のみ図示する。
【００３６】
シール溝１７は、その幅を上向きの長短一対の溝壁１７ａ，１７ｂで区画されていて、上方に開放されている。短い方の溝壁１７ｂは、本体１１の上面開口に臨んでこの開口を仕切っている。長い方の溝壁１７ａはシール溝１７の溝幅に相当して溝壁１７ｂから離れて設けられている。ねじ孔１８は連結上端部１６の幅方向に沿ってシール溝１７からずれた位置に設けられている。突起１９は、ねじ孔１８を境にシール溝１７とは反対側に設けられていて、上向きに突出されている。この突起１９は上向きの接触面１９ａ(図１０参照)を有しており、実施例１では突起１９の水平な上端面で接触面１９ａが形成されている。
【００３７】
側壁１２の夫々に、連結上端部１６の裏側（下側）に連続し、かつ、側壁１２の長手方向全長にわたって延びる中空部２０が一体に形成されている。この中空部２０にねじ孔１８が開口されている。側壁１２の高さ方向略中央部内面に、この側壁１２の長手方向全長にわたって延びる支持凸条２１が一体に形成されている。
【００３８】
更に、側壁１２には中空部２０に臨んで上部セルフタッピングホール２２が形成されている。これとともに、側壁１２と底壁１３とが連続する角部に下部セルフタッピングホール２３が夫々形成されている。これら下部セルフタッピングホール２３の開口は、本体１１の下面に開放されている。
【００３９】
防水リング２５は、合成ゴム等の弾性変形が可能な材料により、本体１１の大きさに見合った四角い形状例えば長四角状の環形に形成されている。この防水リング２５の長い方の部位２５ａ（図４及び図５参照）はシール溝１７に嵌められて連結上端部１６に支持され、かつ、防水リング２５の短い方の部位２５ｂである側壁間部位（図４及び図５参照）は、平行な連結上端部１６にわたって配設されている。図１０及び図１１に示すように防水リング２５の自由状態での各部の断面形状は円形であり、その直径は短い溝壁１７ｂの高さより大きく、かつ、長い溝壁１７ａの高さより小さい。
【００４０】
投光パネル２８は、透光性材料例えばガラス板で形成されていて、防水リング２５より一回り大きな四角い形状例えば長四角形をなしている。投光パネル２８は、その長手方向に沿う縁部をシール溝１７の上方に位置させて平行な連結上端部１６にわたって配設されている。これにより、投光パネル２８はその周部に下側から接した防水リング２５で支持されている。この投光パネル２８の長い方の縁部は、シール溝１７の長い方の溝壁１７ａに近接され、それによって、投光パネル２８は、溝壁１７ａをストッパとして本体１１の幅方向に位置決めされている。
【００４１】
真っ直ぐな二本の上縁材３１は、金属の型材例えばアルミニウム合金の押し出し型材を本体１１と同じ長さに切断して得たものである。図４及び図８〜図１１に示すように各上縁材３１は、押え縁３２と、セルフタッピングホール３３と、複数のねじ通孔３４、接触部３５とを有している。
【００４２】
押え縁３２は、上縁材３１の上端部から側方に一体に張り出して形成されている。この押え縁３２の下面とその根元に連続する角部にわたってゴムやエラストマ等からなる緩衝材３６（図８、図１０、図１１参照）が貼り付けられている。セルフタッピングホール３３は、上縁材３１の幅方向に押え縁３２から所定距離隔たった位置に、上縁材３１をその長手方向に貫通して設けられている。尚、上縁材３１の材料コストを低減するとともに軽量化を図るために、セルフタッピングホール３３と平行でこの下側に連続する孔部３３ａ（図１０参照）が、上縁材３１に設けられているが、これは省略しても良い。
【００４３】
ねじ通孔３４は上縁材３１の長手方向に間隔的に設けられている、これらねじ通孔３４は、セルフタッピングホール３３に直交して上縁材３１を上下方向に貫通している。
【００４４】
接触部３５は、セルフタッピングホール３３を境に押え縁３２と反対側に設けられていて、上縁材３１の長手方向全長にわたって延びている。この接触部３５は、突起１９の形状に見合って形成されていて、突起１９の接触面１９ａに接触する接触面３５ａ（図１０参照）を有している。この接触面３５ａは例えば水平な面で形成されている。
【００４５】
上縁材３１は、各ねじ通孔３４に上方から挿入されて、連結上端部１６の各ねじ孔１８にねじ込まれた連結ねじ３７（図８．図１０、図１１参照）で、連結上端部１６に夫々連結されている。この上縁材３１の押え縁３２は、投光パネル２８の長い方の縁部に上方から被さっている。これとともに、接触部３５は連結上端部１６の突起１９に上方から接触されている。
【００４６】
上縁材３１の固定によりパネル固定構造が形成される。即ち、防水リング２５と上縁材３１の押え縁３２との間に投光パネル２８の長い方の縁部が上下から挟まれて、これらの間の防水が確保されている。詳しくは、前記ねじ止めに伴い、緩衝材３６を介して投光パネル２８の長い方の縁部が下方に押圧されるとともに、防水リング２５が圧縮するように弾性変形されるので、この防水リング２５が、シール溝１７をなす面に密接されるとともに投光パネル２８の長い方の縁部の下面に密接される。
【００４７】
尚、前記ねじ止め等における緩衝材３６の緩衝作用により、金属製の押え縁３２がガラス製の投光パネル２８の長い方の縁部に直接接することがない。このため投光パネル２８に過度な応力が作用することが抑制されて、この投光パネル２８が損傷することを防止可能である。
【００４８】
二本の上縁材３１は以上のように投光パネル２８の平行な縁部に被さって連結上端部１６にねじ止めされているので、これらのねじ止めによって図８等に示すように投光パネル２８を底とする溝３８が形成される。この溝３８は本体１１の長手方向全長にわたって延びている。
【００４９】
更に、連結上端部１６に上縁材３１が連結された状態で、この上縁材３１と連結上端部１６との間に、突起１９と接触部３５との接触箇所を除いて、隙間ｇ（図８参照）が形成されている。
【００５０】
この隙間ｇと前記接触箇所を設けたことによって、上縁材３１は、それが連結上端部１６にねじ止めされるに伴い、確実に投光パネル２８の縁部を上方から押えることが可能である。
【００５１】
即ち、連結上端部１６への上縁材３１のねじ止めは、投光パネル２８の長い方の縁部に上縁材３１の押え縁３２が上方から引っ掛かった状態で、上縁材３１のねじ通孔３４に上方から連結ねじ３７が通されて、この連結ねじ３７が連結上端部１６のねじ孔１８にねじ込まれることで行われる。
【００５２】
この場合、緩衝材３６を介して投光パネル２８に接した押え縁３２に対して、上縁材３１の幅方向にねじ通孔３４の位置がずれているとともに、連結上端部１６と上縁材３１との間には連結ねじ３７の締め込みを可能とするための隙間がある。
【００５３】
そのため、突起１９と接触部３５が存在しないと仮定すると、連結ねじ３７がねじ込まれるに伴い、上縁材３１は投光パネル２８の長い方の縁部の上側の陵線を支点に傾いて、押え縁３２の先端側ほど投光パネル２８の上面から離れるようになる。その結果、防水リング２５の真上から投光パネル２８の長い方の縁部を十分に押えることができなくなる。これに伴い、防水リング２５と投光パネル２８との密接が弱くなって、防水リング２５による防水性能が低下することがある。
【００５４】
しかし、こうした不具合は連結上端部１６に突起１９を設けるとともに、これに上方から接する接触部３５を上縁材３１に設けたことにより解消できる。
【００５５】
即ち、上縁材３１をねじ止めする初期段階では、既述のように投光パネル２８の長い方の縁部に上縁材３１の押え縁３２が上方から引っ掛かった状態で、上縁材３１のねじ通孔３４に上方から連結ねじ３７が通されて、この連結ねじ３７が連結上端部１６のねじ孔１８にねじ込まれる。この場合、連結上端部１６と上縁材３１との間には連結ねじ３７の締め込みを可能とするための隙間がある（図１１参照）。この隙間は、連結上端部１６と上縁材３１との間の他の隙間ｇ１より狭い。
【００５６】
この状態から連結ねじ３７のねじ込みが進行すると、まず、接触部３５が突起１９に上方から接して、上縁材３１が下側から突起１９で支持されるので、この時点以降、上縁材３１の接触部３５側部位は、ねじ込みの進行に伴って下がることがない。そして、緩衝材３６を介して投光パネル２８に接した押え縁３２に対して、上縁材３１の幅方向にねじ通孔３４の位置がずれているとともに、このねじ通孔３４を境に突起１９及び接触部３５は押え縁３２と反対側に位置されている。
【００５７】
このため、連結ねじ３７の更なるねじ込みの進行に伴って、突起１９と接触部３５との接触箇所を支点とするとともに、連結ねじ３７を力点とし、かつ、防水リング２５の長い方の部位２５ａの真上で押え縁３２が投光パネル２８を押えた部位を作用点として、上縁材３１が連結上端部１６にねじ止めされる。この場合、上縁材３１の接触部３５と突起１９との接触箇所を除いて、上縁材３１と連結上端部１６との間に隙間ｇ（図８参照）が設けられているので、前記ねじ止めに伴い、突起１９と接触部３５との接触箇所を支点として、押え縁３２を下方に移動させるモーメントが上縁材３１に与えられる。したがって、上縁材３１で、防水リング２５の長い方向部位２５ａの真上から投光パネル２８の縁部を確実に押えることができ、それにより、投光パネル２８と防水リング２５との密着が強められるので、防水リング２５による防水性を確実にすることが可能である。
【００５８】
尚、実施例１では、突起１９を連結上端部１６に設けたが、これに代えて、上縁材３１に下向きに突出する突起１９を設けるとともに、この突起１９の先端が接する接触面を連結上端部１６に設けることもできる。この場合、連結上端部１６の接触面は、突起１９に見合って凹んだ部分の底面で形成してもよく、或いは前記凹んだ部分を形成することなく、連結上端部１６のねじ孔１８の上端が開放された面と同一高さでかつ連続する平面で形成することも可能である。
【００５９】
光源ユニット４１は、図８に示すようにユニットベース４２、例えば複数の発光モジュール４４（一個のみ図示する。）、発光モジュール４４と同数のレンズ４９と、発光モジュール４４と同数の配光制御部材具体的にはルーバ５２と、電源ユニット５５等を備えている。
【００６０】
ユニットベース４２は、金属の型材例えばアルミニウム合金の押し出し型材を本体１１より若干短い長さに切断して得たものである。ユニットベース４２は、その幅方向両側面に夫々開放する係合溝４２ａと上方に開放する溝部４２ｂを有していて、これらはユニットベース４２の長手方向全長にわたり延びている。
【００６１】
発光モジュール４４は、例えば長方形のモジュール基板４５に、複数の発光部４６（一個のみ図示）及び一対の電線コネクタ４７（一方のみ図示）を装着して形成されている。モジュール基板４５の全長はユニットベース４２の全長より短い。図８にはモジュール基板４５の長手方向に直交する短手方向(幅方向)の断面が示されている。
【００６２】
各発光部４６は、例えばモジュール基板４５の短手方向中央に位置し、かつ、モジュール基板４５の長手方向に一定間隔毎に実装されて、このモジュール基板４５が有する図示しない配線パターンを介して電気的に直列に接続されている。これらの発光部４６には例えばＬＥＤパッケージからなるＬＥＤが用いられている。したがって、発光モジュール４４はＬＥＤ発光モジュールであり、これを備えた照明器具１はＬＥＤ照明器具である。
【００６３】
ＬＥＤパッケージは、電極が設けられたベース上にＬＥＤチップを実装するとともに、このＬＥＤチップを収容する円錐台上の凹部を有した反射体を装着し、凹部に蛍光体入りの透光性封止樹脂を充填して形成されている。このＬＥＤパッケージにおいて、青色発光をするＬＥＤチップが用いられているので、白色照明光を得るために、黄色の蛍光体が用いられている。
【００６４】
ＬＥＤの発光は、半導体のｐ−ｎ接合に順方向電流を流すことで実現されるので、ＬＥＤは電気エネルギーを直接光に変換する固体素子である。こうした発光原理で発光する半導体発光素子は、通電によりフィラメントを高温に白熱させて、その熱放射により可視光を放射させる白熱電球と比較して、省エネルギー効果を有するものである。
【００６５】
電線コネクタ４７はモジュール基板４５の長手方向の両端部に夫々実装されている。これら電線コネクタ４７には、それらの間に配設された複数の発光部４６がなした列の端が電気的に接続されている。これとともに、隣接した発光モジュール４４同士は、電線コネクタ４７にわたって配線された電線を介して電気的に直列に接続されている。
【００６６】
各発光モジュール４４は溝部４２ｂに上方から嵌合されている。この発光モジュール４４は、発光部４６を上向きにして、モジュール基板４５を通ってユニットベース４２にねじ込まれた図示しないねじでユニットベース４２に固定されている。尚、図８中符号４２ｃはモジュール基板固定用のねじがねじ込まれたねじ孔を示している。こうしたねじ止めにより、各発光モジュール４４は、ユニットベース４２にその長手方向に沿って間隔的に配設され、好ましくは等間隔に配設されている。
【００６７】
各レンズ４９は、透光性合成樹脂の一体成形品からなり、レンズ部４９ａと、このレンズ部４９ａの両側に夫々複数突設された取付け脚４９ｂを備えている。レンズ部４９ａは、一つの発光モジュール４４が有した複数の発光部４６にわたる長さを有しているとともに、光入射面４９ｃを有している。このレンズ４９の長手方向に直交する断面の形状は各部同じである。なお、レンズ４９は、発光モジュール４４と同数用いられているが、本体１１の全長と同じ長さの一本物でも良い。
【００６８】
各レンズ４９は、その取付け脚４９ｂを通ってユニットベース４２にねじ込まれたねじ５０により、発光モジュール４４を上側から覆ってユニットベース４２に固定されている。レンズ４９の光入射面４９ｃは発光部４６の真上に対向されている。発光部４６と光入射面４９ｃとの距離を正確に規定するために、取付け脚４９ｂの一部はモジュール基板４５の幅方向両側部上面に接している。尚、図８中符号４２ｄはレンズ固定用のねじ５０がねじ込まれたねじ孔を示している。
【００６９】
ルーバ５２は、板金のプレス加工品であり、複数例えば二枚のルーバ片５２ａと、複数のルーバ脚５２ｂを有して形成されている。ルーバ片５２ａは上向きに折れ曲がって設けられている。ルーバ５２の長さは一つの発光モジュール４４の長さと略同じである。なお、ルーバ５２は、本体１１の全長と同じ長さの一本物でも良い。
【００７０】
これらのルーバ５２は、そのルーバ脚５２ｂをねじ５０で共締めすることにより、レンズ４９を覆うようにユニットベース４２に固定されている。ルーバ５２のルーバ片５２ａは、レンズ４９の光出射面に対して直角となるように配設されている。
【００７１】
電源ユニット５５は、各発光モジュール４４への給電を担って各発光部４６を発光させるものであり、ユニットベース４２の下面にねじ止めされている。尚、図８中符号４２ｅは電源ユニット固定用の図示しないねじがねじ込まれたねじ孔を示している。又、ユニットベース４２の下面には、図示しない他の電気部品例えば電源線が接続される端子台やサージプロテクタ等も取付けられている。
【００７２】
前記構成の光源ユニット４１は、その係合溝４２ａを本体１１の支持凸条２１に夫々嵌合させて、本体１１の長手方向一端から他端に向けて挿入することにより、投光パネル２８が装着された本体１１に内蔵されて、この本体１１の対向した側壁１２間に支持されている。本体１１に内蔵された光源ユニット４１の発光部４６は、その発光動作により投光パネル２８を上向きに投光する照明光を発する。
【００７３】
防水部材６１は合成ゴム等の弾性変形が可能な材料製である。防水部材６１は、本体１１の長手方向の端面、上縁材３１の長手方向の端面、及び投光パネル２８の長手方向の端面を夫々覆う大きさに形成されていて、これらの端面に接して配設されている。
【００７４】
図２〜図４及び図７等に示すように防水部材６１の上端部に部材凹部６２が形成され、又、防水部材６１の一側部に逃げ溝６３が形成されている。逃げ溝６３は前記溝条１４及び溝条区画壁部１４ａの長手方向の端を露出させるために設けられている。更に、図５及び図６に示すように防水部材６１には、嵌合穴６４とリング嵌合溝６５が設けられている。
【００７５】
部材凹部６２は防水部材６１の上方に開放されている。防水部材６１の幅方向に沿う部材凹部６２の長さは、平行な上縁材３１間に形成された溝３８の幅に等しい。この部材凹部６２は溝３８の端に連続している。部材凹部６２の底面６２ａの高さは投光パネル２８の上面以下であり、しかも、部材凹部６２の底面６２ａはその長手方向中央部に向けて次第に下がるように傾けられている。このため、図３に示すように投光パネル２８の長手方向の端面のうち、この投光パネル２８の上面を底辺とする扁平な三角形状の領域が、防水部材６１に覆われることなく露出されている。
【００７６】
嵌合穴６４は、防水部材６１の上部でかつ部材凹部６２の下側に設けられていて、図４に示すように防水部材６１の幅方向に延びている。嵌合穴６４の前記幅方向の長さは、平行な連結上端部１６間の離間寸法に略等しい。この嵌合穴６４の開口は防水部材６１の外側面に開放されており、かつ、嵌合穴６４の奥は図５及び図６に示すように閉じている。
【００７７】
リング嵌合溝６５は、嵌合穴６４の上側に離れて設けられていて上方に開放されている。このリング嵌合溝６５には防水リング２５の短い方の部位２５ｂからなる側壁間部位が上方から嵌合されている。防水部材６１はリング支持部６６を有している。このリング支持部６６は図６及び図７に示すようにリング嵌合溝６５と嵌合穴６４との間の部位で形成されている。言い換えれば、リング支持部６６の上部にリング嵌合溝６５が形成されている。そのため、リング支持部６６は、この上にリング嵌合溝６５に嵌って配置された防水リング２５の短い方の部位２５ｂからなる側壁間部位を下側から支持している。
【００７８】
側板７１は金属例えばアルミニウム合金のダイキャスト製品である。この側板７１は、本体１１の長手方向の端面、投光パネル２８の長手方向の端面、及び上縁材３１の長手方向の端面との間に、防水部材６１を挟んで本体１１の端部に連結されている。
【００７９】
この連結は、側板７１及び防水部材６１を通って本体１１の上部セルフタッピングホール２２にねじ込まれたねじ７２（図２参照）、同じく側板７１及び防水部材６１を通って本体１１の下部セルフタッピングホール２３にねじ込まれたねじ７３（図２参照）、及び同じく側板７１及び防水部材６１を通って上縁材３１のセルフタッピングホール３３にねじ込まれたねじ７４（図２参照）が担っている。これらのねじ７２〜７４にはセルフタッピングねじを使用することが好ましい。
【００８０】
セルフタッピングねじを用いた場合、そのねじ込みによってセルフタッピングホールの一部が削られて削り屑を生じる。上部セルフタッピングホール２２から生じた削り屑は、中空部２０内にこぼれて留まる。下部セルフタッピングホール２３は本体１１の内部とは隔離されていて、この下部セルフタッピングホール２３から生じた削り屑は、その開口を通って本体１１外に排出される。又、セルフタッピングホール３３は本体１１の外部に設けられていて、セルフタッピングホール３３から生じた削り屑は、セルフタッピングホール３３の内部に留まる。したがって、削り屑が光源ユニット４１及び投光パネル２８に付着し、それを原因として、短絡、絶縁不良、耐圧不良などを招くという不具合がない。
【００８１】
なお、上縁材３１の固定用に連結ねじ３７にセルフタッピングねじを用いた場合にも、そのねじ込みに伴って生じる削り屑は、中空部２０内にこぼれて留まる。又、こうした削り屑を収容するための中空部２０を本体１１に設けたことによって、本体１１の外面に開放する筋状の開口の数が減って、照明器具１の外観を向上可能であるとともに、本体１１に雨水等が溜まる可能性がある部位を減らすことができる点で好ましい。
【００８２】
側板７１は、図７等に示すように逃げ溝７５と、側板凹部７６と、支持凸部７７を有している。
【００８３】
側板７１の一側部に形成された逃げ溝７５は、防水部材６１の逃げ溝６３に連通して、逃げ溝６３とともに前記溝条１４及び溝条区画壁部１４ａの長手方向の端を露出させるために設けられている。これにより、ボルトホルダ２及びボルト３を、照明器具１の長手方向の端から挿入可能である。
【００８４】
側板凹部７６は側板７１の上端部に上方に開放して設けられている。側板７１の幅方向に沿う側板凹部７６の長さは部材凹部６２の長さに等しい。図６に示すように側板凹部７６は部材凹部６２を介して溝３８の端に連続している。この側板凹部７６の底面７６ａの高さは投光パネル２８の上面以下である。
【００８５】
しかも、側板凹部７６の底面７６ａは傾けられている。この傾きは、底面７６ａを投光パネル２８の上面より低くなるようにするためであって、例えば、図６に示すように防水部材６１に接した側板７１の裏面と反対側の面つまり表側面に向かうに従い次第に下がるように傾けられている。したがって、側板凹部７６の底面７６ａの高さは部材凹部６２の底面６２ａよりも低くなっている。
【００８６】
支持凸部７７は側板７１の裏面上部に突設されている。この支持凸部７７は図５及び図６に示すように防水部材６１の嵌合穴６４に挿入されて、リング支持部６６を下側から支持している。
【００８７】
図２〜図４等に示すように側板７１はその上部面に開放する凹部７８を有している。凹部７８は側板７１の幅方向に延びているとともに、この凹部７８の上部中央位置に側板凹部７６が開放して連通されている。凹部７８の長手方向両端部にねじ７２が通るねじ通孔（図示しない）が設けられている。
【００８８】
前記構成の照明器具１を組立てるには、まず、本体１１に光源ユニット４１を既述の手順で内蔵する。この後、本体１１の長手方向の端に、夫々防水部材６１を配置するとともに、これらの外面に側板７１を重なるように夫々配置した上で、これら防水部材６１と側板７１とをねじ７２，７３を用いて本体１１の端部に仮止めする。これに伴い、防水部材６１の嵌合穴６４に、防水部材６１より硬い側板７１の支持凸部７７が挿入されて、この支持凸部７７により防水部材６１のリング支持部６６が下側から支持される。更に、これに伴って、リング支持部６６上に形成されているリング嵌合溝６５の長手方向の端が、本体１１のシール溝１７の長手方向の端に直角に連続するように配置される。
【００８９】
次に、この状態で、シール溝１７及びリング嵌合溝６５に対してこれらの上方から防水リング２５を嵌合させて配置する。したがって、防水リング２５の短い方の部位２５ｂが、本体１１の平行な連結上端部１６にわたるにも拘らず、この短い方の部位２５ｂが垂れ下がらないように防水部材６１を利用してそのリング支持部６６で下方から支持できる。
【００９０】
この後、投光パネル２８をその周部が防水リング２５に載るように配置する。この場合、溝壁１７ａによって本体１１に対する投光パネル２８の幅方向位置が規制されるとともに、防水部材６１の上部によって本体１１に対する投光パネル２８の長手方向位置が規制される。
【００９１】
次いで、本体１１の連結上端部１６に対して上縁材３１を、夫々既述の手順によってねじ止めする。それによって、投光パネル２８を介して防水リング２５が上方から圧縮されて、この防水リング２５と投光パネル２８の周部下面が密接される。これとともに、弾性変形した防水リング２５の長い方の部位２５ａの周面がシール溝１７の面に密接され、かつ、防水リング２５の短い方の部位２５ｂの周面がリング嵌合溝６５の面に密接される。
【００９２】
この場合、リング嵌合溝６５を有したリング支持部６６が、これより硬い支持凸部７７で下側から支持されているので、短い方の部位２５ｂの弾性変形が確実に行われる。したがって、投光パネル２８の下面及びリング嵌合溝６５の面により確実に密接することが可能である。そして、これらの密接により、防水リング２５と投光パネル２８との間の防水が確保されるとともに、防水リング２５とシール溝１７及びリング嵌合溝６５との間の防水が確保される。つまり、防水リングまわりでの防水を確保することが可能である。
【００９３】
最後に、ねじ７２，７３を増し締めすることにより、本体１１の端面との間に防水部材６１を挟んで側板７１を本体１１の端部に固定するとともに、ねじ７４をセルフタッピングホール３３にねじ込んで、上縁材３１の端面との間に防水部材６１を挟んで側板７１を上縁材３１の端部に固定する。それに伴い弾性変形した防水部材６１によって、これと本体１１の端面、投光パネル２８の端面、及び上縁材３１の端面との間の防水とともに、防水部材６１と側板７１との間の防水が確保される。
【００９４】
又、以上の組立てに伴い、図５に示すように防水部材６１が、ユニットベース４２の長手方向の端面に接するので、光源ユニット４１が支持凸条２１に沿って不用意に動くことがないように、この光源ユニット４１を本体１１の長手方向に位置決めできる。
【００９５】
尚、リング嵌合溝６５がないリング支持部６６、つまり、図５において防水リング２５の内周に接している部位が省略された構成のリング支持部６６を採用する場合には、以上の組立て手順によらず、以下の手順で照明器具１を組立てることも可能である。
【００９６】
まず、本体１１の平行な連結上端部１６のシール溝１７にわたって防水リング２５をセットした後、その上に投光パネル２８を載せた上で、既述の手順で連結上端部１６の夫々に上縁材３１をねじ止めする。次に、本体１１の端面、投光パネル２８の端面、及び上縁材３１の端面を覆うように防水部材６１を配置する。この場合、平行なシール溝１７にわたって防水リング２５の短い方の部位２５ｂの下側に、防水部材６１のリング支持部６６が位置されるようにした上で、この防水部材６１が適正位置に配置されるように上向きに移動させる。それにより、短い方の部位２５ｂをその下側からリング支持部６６で支持できる。この後、防水部材６１に側板７１を重ねて、ねじ７２〜７４を用いて側板７１を本体１１及び上縁材３１の端部にねじ止めする。以上の手順で照明器具１の組立てが完了する。
【００９７】
前記構成の照明器具１は、建物の壁面照明をするために、投光パネル２８を上向きにした略水平な状態で投光器として屋外に設置される。この照明器具１が有した光源ユニット４１の発光部４６が発光されると、これが発した上向きの照明光は、まず、レンズ４９に入射し、このレンズ４９により投光角を本体１１の幅方向に広げられて、レンズ４９の上面(光出射面)から出射される。この出射光は、レンズ４９の真上に在る投光パネル２８を上向きに透過する。それにより、壁面照明が行われる。
【００９８】
この点灯時に発光部４６が備えるＬＥＤチップが発する熱は、モジュール基板４５を通して金属製のユニットベース４２に伝導され、更に、このユニットベース４２から金属製の本体１１に伝導されて、この本体１１の外面から外部に放出される。そのため、ＬＥＤチップの温度過昇が抑制されて、その発光効率の低下などを抑制することが可能である。
【００９９】
前記構成の照明器具１は、本体１１への投光パネル２８の取付けを、本体１１の対向する側壁１２が有した連結上端部１６に夫々連結された上縁材３１で投光パネル２８の平行な縁部を上方から押えて、この投光パネル２８の縁部を防水リング２５に押し付けて行っている。
【０１００】
この構成により、平行な二本の上縁材３１間に投光パネル２８を底とする溝３８が形成されているので、既述のように屋外に設置される照明器具１では、溝３８に雨水などが溜まろうとすることがある。
【０１０１】
しかし、この照明器具１で、本体１１の長手方向の端を閉じて防水するために設けられた防水部材６１及び側板７１の夫々は、溝３８に連通した部材凹部６２又は側板凹部７６を有していて、これら凹部６２，７６の底面６２ａ，７６ａの高さは投光パネル２８の上面以下である。
【０１０２】
このため、溝３８に溜まろうとする水は、防水部材６１及び側板７１で堰き止められることがなく、この水を、部材凹部６２及び側板凹部７６に通して溝３８の外部に排出することが可能である。この場合、水が溜まろうとする溝３８は真っ直ぐに延びているので、この溝３８での排水方向への水の移動は容易である。
【０１０３】
しかも、防水部材６１の部材凹部６２の底面６２ａが、部材凹部６２の長手方向両端部から中央部に向けて次第に下がるように傾けられているので、溝３８から部材凹部６２に至った水は、底面６２ａの傾きにしたがって部材凹部６２の最も低い位置である長手方向中央部に集められた上で、側板凹部７６に排出される。このように水を集めて排出するので、部材凹部６２から側板凹部７６へ円滑に排水することが可能である。
【０１０４】
更に、側板凹部７６の底面７６ａは、投光パネル２８の端面及び防水部材６１から遠ざかるほど投光パネル２８の上面及び部材凹部６２の底面６２ａより次第に低くなるように傾けられている。このため、部材凹部６２から側板凹部７６へ排出された水を、側板凹部７６の底面７６ａの傾きによって円滑に導いて排出することが可能である。
【０１０５】
こうした排水により、溝３８に水が留まり続けないようにできるので、防水リング２５が劣化してその防水性能が低下した場合でも、投光パネル２８まわりから本体１１内へ浸水することを抑制可能である。更に、溝３８に水が溜まった場合のように、この水が乾燥することに伴う投光パネル２８の表面の汚れ及びこの汚れを原因とする明るさの低下などを抑制することが可能である。しかも、以上のような円滑な排水により、部材凹部６２及び側板凹部７６にも水が留まり難いので、本体１１の端面及び投光パネル２８の端面と防水部材６１の接触部に、浸水をすることも抑制することが可能である。
【実施例２】
【０１０６】
図１２及び図１３は実施例２を示している。実施例２は以下説明する構成が実施例１とは相違しており、それ以外の構成は実施例１と同じであるため、実施例１と同一ないしは同様の機能を奏する構成については、実施例１と同じ符号を付してその説明を省略する。
【０１０７】
実施例２の照明器具１は投光パネル２８の長手方向の端部と部材凹部６２及び側板凹部７６を覆い隠す端部カバー８１を更に備えている。端部カバー８１は、合成樹脂又は金属製であり、実施例２では例えばアルミニウム板を曲げ加工してなる端部カバー８１が用いられている。
【０１０８】
照明器具１の長手方向の両端部に夫々装着された端部カバー８１は、側面カバー部８２と上面カバー部８３を有している。
【０１０９】
側面カバー部８２は、側板７１の凹部７８に収容されていて、ねじ７４で、防水部材６１及び側板７１とともに上縁材３１の端部に共締めされている。これにより、端部カバー８１は、投光パネル２８の端面と部材凹部６２及び側板凹部７６を側方から覆っている。
【０１１０】
図１３に示すように側面カバー部８２は、凹部７８内に位置されている。これとともに側面カバー部８２は、側板７１の凹部７８が形成された上端側部位７１ａの側面との間、及び凹部７８の底面との間に、互に連通する排水用隙間を形成してこれら側面及び底面から離されている。
【０１１１】
上面カバー部８３は、側面カバー部８２の上縁から直角に折れ曲がっていて、投光パネル２８の長手方向の端部、部材凹部６２、側板凹部７６、及び凹部７８の夫々を、上方から覆っている。
【０１１２】
実施例２の照明器具は、以上説明した構成以外の構成は図示されない構成を含めて実施例１と同じである。したがって、この実施例２においても、実施例１で説明した理由により前記課題が解決されて、発光部が発した光が上向きに透過する投光パネル２８上に溜まった水を排水可能な照明器具１を提供できる。尚、この照明器具１において、側板凹部７６から排出された水は、前記排水用隙間を通って外部に排出される。
【０１１３】
又、実施例２の照明器具１は端部カバー８１を備えているので、この照明器具１を設置する際やメンテナンスする際等に、投光パネル２８の長手方向の端に何らかの物体が不用意に当たって、投光パネル２８の端部が損傷することを抑制可能である。更に、投光パネル２８の端部、部材凹部６２、及び側板凹部７６が端部カバー８１で覆い隠されているので、照明器具１にスッキリとした外観を与えることが可能である。
【実施例３】
【０１１４】
図１４は実施例３を示している。実施例３は以下説明する構成が実施例１とは相違しており、それ以外の構成は実施例１と同じであるため、実施例１と同一ないしは同様の機能を奏する構成については、実施例１と同じ符号を付してその説明を省略する。
【０１１５】
実施例３では、連結上端部１６が有した突起１９の接触面１９ａと、上縁材３１が有した接触部３５の接触面３５ａが、シール溝１７に近付くほど下がるように傾斜した斜面で形成されている。
【０１１６】
実施例３の照明器具は、以上説明した構成以外の構成は図示されない構成を含めて実施例１と同じである。したがって、この実施例３においても、実施例１で説明した理由により前記課題が解決されて、発光部が発した光が上向きに透過する投光パネル２８上に溜まった水を排水可能な照明器具１を提供できる。
【０１１７】
しかも、互に接した接触面１９ａと接触面３５ａが斜面で形成されているため、連結ねじ３７のねじ込みに伴って上縁材３１に与えられるモーメントに従う上縁材３１の挙動に拘らず、連結ねじ３７のねじ込みが終わった状態で、接触面１９ａと接触面３５ａは面接した状態に保持される。即ち、突起１９と接触部３５との間が楔状に開いて、本体１１の連結上端部１６に上縁材３１がねじ止めされることがないので、照明器具１の外観を向上させることが可能である。
【０１１８】
前記各実施例は以上の説明したように構成されているが、防水部材６１の部材凹部６２については、その長手方向中央部から両端部に向けて次第に下がるように底面６２ａを傾けてもよい。この場合、側板７１の側板凹部７６については、その長手方向中央部から両端部向けて次第に下がるように底面７６ａを傾けるとともに、この底面７６ａの最低部位の底面の高さ位置を、部材凹部６２の底面６２ａの最低部位の高さ位置より低くして実施でき、或いは実施例１と同様構成の側板凹部７６であって、その底面７６ａの高さ位置が、部材凹部６２の最低部位の底面６２ａの高さ位置より低くして実施することが可能である。又、部材凹部６２の底面６２ａ及び側板凹部７６の底面７６ａの傾きは、これら底面の長手方向の一端から他端に向けて次第に下がるように形成されていても良い。
【０１１９】
こうした構成の部材凹部６２及び側板凹部７６を備えた構成では、投光パネル２８の上面と上縁材３１の押さ縁３２とがなす角部に、部材凹部６２の底面６２ａの最低部位が連続しているので、前記角部に溜まろうとする水を、速やかに部材凹部６２及び側板凹部７６を通して外部に排出することが可能である。
【０１２０】
又、前記各実施例は、長尺な照明器具であるが、正方形の照明器具にも適用することが可能である。
【符号の説明】
【０１２１】
１…照明器具、１６…本体、１２…側壁、１６…連結上端部、１７…シール溝、１８…ねじ孔、１９…突起、２５…防水リング、２５ｂ…防水リングの短い方の部位（側壁間部位）、２８…投光パネル、３１…上縁材、３５ａ…接触面、３７…連結ねじ、ｇ…隙間、３８…溝、４１…光源ユニット、４６…発光部、６１…防水部材、６２…部材凹部、６２ａ…部材凹部の底面、６６…リング支持部、７１…側板、７６…側板凹部、７６ａ…側板凹部の底面，７７…支持凸部
【図１】
2012169207.tif 000003
【図２】
2012169207.tif 000004
【図３】
2012169207.tif 000005
【図４】
2012169207.tif 000006
【図５】
2012169207.tif 000007
【図６】
2012169207.tif 000008
【図７】
2012169207.tif 000009
【図８】
2012169207.tif 000010
【図９】
2012169207.tif 000011
【図１０】
2012169207.tif 000012
【図１１】
2012169207.tif 000013
【図１２】
2012169207.tif 000014
【図１３】
2012169207.tif 000015
【図１４】
2012169207.tif 000016